(57)【特許請求の範囲】
【請求項１】
積層された複数の単電池を備える組電池に組み付けられ、それぞれが前記積層方向に隣接する各前記単電池の端子電極を互いに接続する複数のバスバーを保持するバスバーモジュールであって、
前記複数のバスバーを第１の方向に並べて収容するバスバー収容部と、
前記第１の方向に延びるとともに、それぞれが異なる前記バスバーに対して導電部材を介して電気的に接続される複数の電圧検出線と、を有し、
前記複数の電圧検出線は、前記バスバー収容部に隣接配置されるとともに、前記バスバーを含む面内方向に対して傾斜した第２の方向に傾斜配置されることにより、前記バスバー収容部から離間した前記複数の電圧検出線における第１の領域が前記バスバー収容部に近接した前記複数の電圧検出線における第２の領域よりも下側に位置することを特徴とするバスバーモジュール。
【請求項２】
前記導電部材は、前記バスバーから前記第２の方向に延びて、前記複数の電圧検出線を支持することを特徴とする請求項１に記載のバスバーモジュール。
【請求項３】
前記導電部材を支持するとともに、前記複数の電圧検出線よりも前記第２の方向に延出している絶縁性の延出支持部を有し、
前記延出支持部には、前記第２の方向の端部に形成された排出口と、前記複数の電圧検出線から流入した水を前記排出口に向かってガイドするガイドリブが形成されていることを特徴とする請求項２に記載のバスバーモジュール。
【請求項４】
前記複数のバスバーは、前記第１の方向において隣り合う第１のバスバーと第２のバスバーとを有し、
前記延出支持部は、前記第１のバスバーに対応する第１の延出支持部と、前記第２のバスバーに対応した第２の延出支持部とを有し、
前記第１の方向において、前記第１の延出支持部と前記第２の延出支持部との間には、隙間が形成されており、この隙間は、前記第１のバスバーと前記第２のバスバーとの間の領域に対応した位置に形成されていることを特徴とする請求項３に記載のバスバーモジュール。
【請求項５】
前記複数の電圧検出線をシート状の絶縁ケースに収容したシート体を有することを特徴とする請求項１乃至４のうちいずれか一つに記載のバスバーモジュール。
【請求項６】
複数の単電池が第１の方向に積層され、車両の走行に用いられるモータに供給される電力を蓄電する組電池と、
それぞれが前記第１の方向において隣り合う各前記単電池の端子電極を互いに接続する複数のバスバーを保持するバスバーモジュールと、を有し、
前記バスバーモジュールは、
前記複数のバスバーを前記第１の方向に並べて収容するバスバー収容部と、
前記第１の方向に延びるとともに、それぞれが異なる前記バスバーに対して導電部材を介して電気的に接続される複数の電圧検出線と、を有し、
前記複数の電圧検出線は、前記バスバー収容部に隣接配置されるとともに、前記バスバーを含む面内方向に対して傾斜した第２の方向に傾斜配置されることにより、前記バスバー収容部から離間した前記複数の電圧検出線における第１の領域が前記バスバー収容部に近接した前記複数の電圧検出線における第２の領域よりも下側に位置することを特徴とする車両用電源装置。
【請求項７】
前記導電部材は、前記バスバーから前記第２の方向に延びて、前記複数の電圧検出線を支持することを特徴とする請求項６に記載の車両用電源装置。
【請求項８】
前記導電部材を支持するとともに、前記複数の電圧検出線よりも前記第２の方向に延出している絶縁性の延出支持部を有し、
前記延出支持部には、前記第２の方向の端部に形成された排出口と、前記複数の電圧検出線から流入した水を前記排出口に向かってガイドするガイドリブが形成されていることを特徴とする請求項７に記載の車両用電源装置。
【請求項９】
前記複数のバスバーは、前記第１の方向において隣り合う第１のバスバーと第２のバスバーとを有し、
前記延出支持部は、前記第１のバスバーに対応する第１の延出支持部と、前記第２のバスバーに対応した第２の延出支持部とを有し、
前記第１の方向において、前記第１の延出支持部と前記第２の延出支持部との間には、隙間が形成されており、この隙間は、前記第１のバスバーと前記第２のバスバーとの間に形成された隙間に対応した位置に形成されていることを特徴とする請求項８に記載の車両用電源装置。
【請求項１０】
前記複数の電圧検出線は、前記組電池から延出する延長部を有し、
前記延長部は、電圧情報を取得する取得部にコネクタを介して接続されており、下方に屈曲した屈曲部が形成されていることを特徴とする請求項６乃至９のうちいずれか一つに記載の車両用電源装置。
【請求項１１】
前記複数の電圧検出線をシート状の絶縁ケースに収容したシート体を有することを特徴とする請求項６乃至１０のうちいずれか一つに記載の車両用電源装置。
【請求項１２】
請求項６乃至１１のうちいずれか一つに記載の車両用電源装置を搭載した車両。
【発明の詳細な説明】
【技術分野】
【０００１】
本発明は、積層された複数の単電池を有する組電池に組み付けられるバスバーモジュールの構造に関する。
【背景技術】
【０００２】
車両を走行させるモータに供給される電力を蓄電する蓄電装置として、複数の単電池と、これらの単電池を挟む位置に配置される一対のエンドプレートと、一対のエンドプレートを互いに接続することにより複数の単電池を拘束する拘束バンドとを有する組電池が知られている。この種の組電池には、各単電池の電圧情報を取得するための複数の電圧検出線が設けられており、これらの電圧検出線はそれぞれ各単電池に対して電気的に接続されている。【０００３】
ところで、特許文献１は、複数本の電池モジュールを同一水平面に平行な姿勢でホルダーケースに並べている電池ユニットを上下多段に積層して配置している電源装置であって、各々の電池ユニットは、ホルダーケースの定位置に配置している電池モジュールの端部の出力端子にバスバーを連結して、バスバーでもって各々の電池モジュールを接続しており、さらに、上段電池ユニットの電池モジュールと、下段電池ユニットの電池モジュールの間に位置し、かつ上段電池ユニットの電池モジュールの端部に沿って、隔離部材を配設しており、隔離部材が、上段電池ユニットの電池モジュールの端部から排出される電解液を流下させて受け取ることができる上方開口の受液槽としており、隔離部材の受液槽でもって、上段の電池ユニットの電池モジュールから排出される電解液を貯溜し、又は受け取った電解液を所定の位置に移送して排出し、電解液が上下の電池モジュールを短絡させるのを阻止するようにしてなる電源装置を開示する。
【先行技術文献】
【特許文献】
【０００４】
【特許文献１】特開２００６−３３１９５７号公報
【発明の概要】
【発明が解決しようとする課題】
【０００５】
上述の組電池は、温度条件によって結露する場合がある。例えば、車室内の空気を用いて冷却する冷却経路を備えた組電池の場合、車室内の湿度が高まることにより、結露する。組電池が結露すると、電圧検出線及び各単電池の接続部が結露時に発生した水によって互いに導通するおそれがある。一方、特許文献１の技術を転用して隔離部材を設ける方法では、結露水を防ぐことはできても、別部材の追加によるコストの増大を招き、小型化の妨げにもなる。そこで、本願発明は、部品点数の増大を抑制しながら、電圧検出線及び各単電池の接続部が互いに結露時に発生した水などを介して導通するのを防止することを目的とする。
【課題を解決するための手段】
【０００６】
上記課題を解決するために、本願発明に係るバスバーモジュールは、積層された複数の単電池を備える組電池に組み付けられ、それぞれが前記積層方向に隣接する各前記単電池の端子電極を互いに接続する複数のバスバーを保持するバスバーモジュールであって、前記複数のバスバーを第１の方向に並べて収容するバスバー収容部と、前記第１の方向に延びるとともに、それぞれが異なる前記バスバーに対して導電部材を介して電気的に接続される複数の電圧検出線と、を有し、前記複数の電圧検出線は、前記バスバー収容部に隣接配置されるとともに、前記バスバーを含む面内方向に対して傾斜した第２の方向に傾斜配置されることにより、前記バスバー収容部から離間した前記複数の電圧検出線における第１の領域が前記バスバー収容部に近接した前記複数の電圧検出線における第２の領域よりも下側に位置する。【０００７】
（２）上記（１）の構成において、前記導電部材は、前記バスバーから前記第２の方向に延びて、前記複数の電圧検出線を支持している。（２）の構成によれば、導電部材の一部を延出させ、この延出部分と電圧検出線とを電気的に接続することにより、電圧情報を取得するための接続構造が得られるため、接続構造を簡素化することができる。さらに、複数の電圧検出線を支持する独立した構造物が不要となるため、小型化及び低コスト化を図ることができる。【０００８】
（３）上記（２）の構成において、前記導電部材を支持するとともに、前記複数の電圧検出線よりも前記第２の方向に延出している絶縁性の延出支持部を有し、前記延出支持部には、前記第２の方向の端部に形成された排出口と、前記複数の電圧検出線から流入した水を前記排出口に向かってガイドするガイドリブが形成されている。（３）の構成によれば、複数の電圧検出線上を傾斜方向に流れる水が排出口に向かってガイドリブによりガイドされるため、特定の位置（例えば、水による短絡を起こさない位置）から排水を行うことができる。【０００９】
（４）上記（３）の構成において、前記複数のバスバーは、前記第１の方向において隣り合う第１のバスバーと第２のバスバーとを有し、前記延出支持部は、前記第１のバスバーに対応する第１の延出支持部と、前記第２のバスバーに対応した第２の延出支持部とを有し、前記第１の方向において、前記第１の延出支持部と前記第２の延出支持部との間には、隙間が形成されており、この隙間は、前記第１のバスバーと前記第２のバスバーとの間の領域に対応した位置に形成されている。（４）の構成によれば、第１の延出支持部から第２の延出支持部に水が流入するのが抑制されるため、本願発明の目的をより効果的に達成することができる。【００１０】
（５）上記（１）〜（４）の構成において、前記複数の電圧検出線をシート状の絶縁ケースに収容してシート体とすることができる。（５）の構成によれば、シート体の外面に沿って水を逃がしやすくすることができる。【００１１】
上記課題を解決するために、本願発明に係る車両用電源装置は、（６）複数の単電池が第１の方向に積層され、車両の走行に用いられるモータに供給される電力を蓄電する組電池と、それぞれが前記第１の方向において隣り合う各前記単電池の端子電極を互いに接続する複数のバスバーを保持するバスバーモジュールと、を有し、前記バスバーモジュールは、前記複数のバスバーを前記第１の方向に並べて収容するバスバー収容部と、前記第１の方向に延びるとともに、それぞれが異なる前記バスバーに対して導電部材を介して電気的に接続される複数の電圧検出線と、を有し、前記複数の電圧検出線は、前記バスバー収容部に隣接配置されるとともに、前記バスバーを含む面内方向に対して傾斜した第２の方向に傾斜配置されることにより、前記バスバー収容部から離間した前記複数の電圧検出線における第１の領域が前記バスバー収容部に近接した前記複数の電圧検出線における第２の領域よりも下側に位置することを特徴とする。【００１２】
（７）上記（６）の構成において、前記導電部材は、前記バスバーから前記第２の方向に延びて、前記複数の電圧検出線を支持している。（７）の構成によれば、導電部材の一部を延出させ、この延出部分と電圧検出線とを電気的に接続することにより、電圧情報を取得するための接続構造が得られるため、接続構造を簡素化することができる。さらに、複数の電圧検出線を支持する独立した構造物が不要となるため、小型化及び低コスト化を図ることができる。【００１３】
（８）上記（７）の構成において、前記導電部材を支持するとともに、前記複数の電圧検出線よりも前記第２の方向に延出している絶縁性の延出支持部を有し、前記延出支持部には、前記第２の方向の端部に形成された排出口と、前記複数の電圧検出線から流入した水を前記排出口に向かってガイドするガイドリブが形成されている。（８）の構成によれば、複数の電圧検出線上を傾斜方向に流れる水が排出口に向かってガイドリブによりガイドされるため、特定の位置（例えば、水による短絡を起こさない位置）から排水を行うことができる。【００１４】
（９）上記（８）の構成において、前記複数のバスバーは、前記第１の方向において隣り合う第１のバスバーと第２のバスバーとを有し、前記延出支持部は、前記第１のバスバーに対応する第１の延出支持部と、前記第２のバスバーに対応した第２の延出支持部とを有し、前記第１の方向において、前記第１の延出支持部と前記第２の延出支持部との間には、隙間が形成されており、この隙間は、前記第１のバスバーと前記第２のバスバーとの間に形成された隙間に対応した位置に形成されている。（９）の構成によれば、第１の延出支持部から第２の延出支持部に水が流入するのが抑制されるため、本願発明の目的をより効果的に達成することができる。【００１５】
（１０）上記（６）〜（９）の構成において、前記複数の電圧検出線は、前記組電池から延出する延長部を有し、前記延長部は、電圧情報を取得する取得部にコネクタを介して接続されており、下方に屈曲した屈曲部が形成されている。（１０）の構成によれば、延長部を介してコネクタに向かう水を屈曲部において滴下させることができる。これにより、取得部を保護することができる。【００１６】
（１１）上記（６）〜（１０）の構成において、前記複数の電圧検出線をシート状の絶縁ケースに収容してシート体とすることができる。（１１）の構成によれば、シート体の外面に沿って水を逃がしやすくすることができる。【００１７】
（１２）上記（７）〜（１１）の車両用電源装置は、車両に搭載することができる。
【発明の効果】
【００１８】
本発明によれば、部品点数の増大を抑制しながら、電圧検出線及び各単電池の接続部が互いに結露時に発生した水などを介して導通するのを防止することができる。
【図面の簡単な説明】
【００１９】
【図１】車両用電源装置の斜視図である。
【図２】バスバーモジュールの平面図である。
【図３】組電池に組み付けられたバスバーモジュールの一部を拡大した拡大平面図である。
【図４】図１の車両用電源装置におけるＸ１矢視図である。
【図５】シート体及びこれに接続される監視ユニットの斜視図である。
【図６】変形例１に係るバスバーモジュールの拡大平面図であり、図３に対応している。
【発明を実施するための形態】
【００２０】
図１及び図２を参照しながら、本発明の一実施形態である車両用電源装置について説明する。図１は車両用電源装置の斜視図であり、図２はバスバーモジュールの平面図である。Ｘ軸、Ｙ軸及びＺ軸は互いに直交する異なる三軸であり、Ｘ軸、Ｙ軸及びＺ軸の定義は他の図面においても同様である。
【００２１】
車両用電源装置１は、車両の走行に用いられるモータに供給される電力を蓄電する。車両は、車両電源装置１と内燃機関とを動力源として兼用するハイブリッド自動車、車両用電源装置１のみを動力源とする電気自動車であってもよい。車両電源装置１は、車両のラゲッジルーム、リアシートの下部、運転席及び助手席の間のスペース等に配置することができる。
【００２２】
車両用電源装置１は、複数の単電池１１と、複数のスペーサ部材１２と、一対のエンドプレート１３と、複数の拘束バンド１４と、バスバーモジュール２０とを有する。複数の単電池１１は、Ｘ軸方向（第１の方向）に配列されている。単電池１１には、ニッケル水素電池、リチウムイオン電池などの二次電池、或いはキャパシタを用いることができる。単電池１１は、一つの電池セル、或いは複数の電池セルを接続した電池モジュールにより構成することができる。ここで、電池セルとは、充放電可能な最小単位の要素を意味する。なお、複数の単電池１１、複数のスペーサ部材１２及び一対のエンドプレート１３により組電池２が構成される。
【００２３】
単電池１１は、Ｘ軸方向に向き合う一対の外面と、Ｙ軸方向に向き合う一対の外面と、Ｚ軸方向に向き合う一対の外面とを有するいわゆる角型電池であり、Ｚ軸方向に向き合う一対の外面のうち上側に位置する外面には、Ｙ軸方向に並ぶ正極端子１１ａ及び負極端子１１ｂが形成されている。正極端子１１ａ及び負極端子１１ｂはそれぞれ突状に形成されており、外面にはナット２６を締結するためのネジ溝が形成されている。Ｘ軸方向に隣接する一方の単電池１１における正極端子１１ａ及び他方の単電池１１における負極端子１１ｂは、Ｘ軸方向において隣り合っており、この隣り合う正極端子１１ａ及び負極端子１１ｂはバスバー２１を介して接続される。これにより、複数の単電池１１が直列に接続されるため、車両の要求出力に対応した高い電池出力を得ることができる。
【００２４】
スペーサ部材１２は、Ｘ軸方向に隣接する単電池１１に挟まれる位置に配置されている。スペーサ部材１２のＸ軸方向の外面には、図示しない複数のリブが形成されており、これらのリブが単電池１１の外面に当接することにより、単電池１１の外面に沿って流れる冷媒の冷媒通路を形成することができる。スペーサ部材１２は、例えば樹脂により構成することができる。
【００２５】
一対のエンドプレート１３は、Ｘ軸方向に延びる拘束バンド１４により互いに接続されている。拘束バンド１４は、Ｘ軸方向の両端部にＬ字形状に折れ曲がった曲げ部を有しており、この曲げ部をエンドプレート１３に固定することにより、単電池１１及びスペーサ部材１２が所定の圧力で拘束される。固定方法には、リベット止めを用いることができる。このように、単電池１１を所定の圧力で拘束することにより、必要な電池出力を得ることができる。エンドプレート１３は、Ｘ軸方向視において矩形に形成されており、拘束バンド１４はエンドプレート１３の四隅にそれぞれ設けられている。エンドプレート１３には、樹脂を用いることができる。拘束バンド１４には、板金を用いることができる。
【００２６】
次に、図１乃至図４を参照しながら、バスバーモジュール２０について詳細に説明する。図３は、組電池に組み付けられたバスバーモジュール２０の一部を拡大した拡大平面図である。図４は、図１の車両用電源装置におけるＸ１矢視図である。これらの図において、バスバー２１は、バスバー２１を含む面内方向において保護壁２２により覆われている。この保護壁２２により囲まれた領域が、バスバー収容部２５に相当する。保護壁２２は、絶縁性材料により構成されている。保護壁２２が設けられることにより、Ｘ軸方向に隣接するバスバー２１が導電性の異物を介して導通するのを防止できる。また、保護壁２２は、Ｚ軸方向の高さが正極端子１１ａ（負極端子１１ｂ）よりも大きく設定されている。これにより、バスバー２１の締結時に用いられる工具などが誤って落下された場合に、当該工具を介してＸ軸方向に隣接するバスバー２１が互いに電気的に導通するのを防止できる。
【００２７】
バスバー２１には、Ｘ軸方向に隣接する一方の単電池１１における正極端子１１ａ及び他方の単電池１１における負極端子１１ｂがそれぞれ挿通される一対の端子挿通孔２１ａが形成されている。バスバー２１のＹ軸方向の一端部には、バスバー２１を含む面内方向に対して傾斜した下斜方向（第２の方向に相当する）に延びる延出導電部（導電部に相当する）２１ｂが形成されている。なお、本明細書では、前記下斜方向を「水逃がし方向」と称するものとする。
【００２８】
保護壁２２には、バスバー２１の延出導電部２１ｂを保護壁２２の外部に引き出すためのスリット２２ａが形成されている。このスリット２２ａは、保護壁２２の上端部から下方に向かって延びている。保護壁２２における下方には、水逃がし方向に延びる延出支持部２２ｂが形成されている。延出支持部２２ｂは、延出導電部２１ｂを支持しており、保護壁２２と同様の絶縁材料で構成されている。なお、延出支持部２２ｂは、保護壁２２と一体であってもよいし、別体であってもよい。
【００２９】
延出導電部２１ｂには、バスバー収容部２５に隣接配置されたシート体２３が支持されている。したがって、シート体２３は、バスバー２１を含む面内方向に対して傾斜した水逃がし方向に傾いている。つまり、シート体２３は、バスバー収容部２５から離間したシート体２３における第１の領域が、バスバー収容部２５に近接したシート体２３における第２の領域よりも下側に位置する。
【００３０】
シート体２３は、複数の電圧検出線２３ａと、これらの電圧検出線２３ａを挟み込んで保持する一対のプラスチックフィルムテープ２３ｂとを備える。一対のプラスチックフィルムテープ２３ｂは、互いに接触する接触面において接合されている。接合方法には、熱融着、或いは接着剤を用いることができる。複数の電圧検出線２３ａは、略一定間隔に配置されており、それぞれが単電池１１の積層方向（第１の方向に相当する）に延びている。複数の電圧検出線２３ａは、プラスチックフィルムテープ２３ｂ内において互いに絶縁されている。各電圧検出線２３ａは、対応する延出導電部２１ｂに接続されている。すなわち、図４を参照して、Ｘ軸方向に隣接配置される一方のバスバー２１における延出導電部２１ｂは、接続部Ａ１において対応する電圧検出線２３ａに接続されており、他方のバスバー２１における延出導電部２１ｂは、接続部Ａ２において対応する電圧検出線２３ａに接続されている。
【００３１】
ここで、結露時にバスバー収容部２５において発生した水が、バスバー収容部２５に隣接配置されたシート体２３に向かって流入することがある。シート体２３がバスバー２１を含む面内方向に配置、つまり、水平方向に配置されている場合には、流入した水がシート体２３上に留まる。プラスチックフィルムテープ２３ｂの一部が経年使用により破損している場合には、シート体２３上に留まった水がこの破損部を介してシート体２３の内部に流入し、接続部Ａ１及びＡ２を導通させるおそれがある。これに対して、本実施形態では、シート体２３が水逃がし方向に傾斜配置されているため、バスバー収容部２５から流入した水をシート体２３の傾斜面に沿って逃がすことができる。これにより、シート体２３上に水が留まるのが防止され、接続部Ａ１及び接続部Ａ２が互いに電気的に導通するのを防止することができる。
【００３２】
ここで、水逃がし方向の水平方向に対する角度、つまり、傾斜角度は、例えば１５°に設定することができる。傾斜角度を１５°に設定することにより、流入した水をシート体２３に留めずにより確実に逃がすことができる。
【００３３】
延出支持部２２ｂは、水逃がし方向においてシート体２３よりも長く延びており、その先端部には排出口２２ｂ１が形成されている。排出口２２ｂ１は、延出支持部２２ｂのＸ軸方向における一端部において切欠形状に形成されている。延出支持部２２ｂには、ガイドリブ２２ｃが形成されており、このガイドリブ２２ｃは、延出支持部２２ｂのＸ軸方向おける他端部から排出口２２ｂ１に向かって延びている。ガイドリブ２２ｃは、排出口２２ｂ１に接近するに従って、漸次延出支持部２２ｂの先端部に近づくように、傾斜配置されている。
【００３４】
シート体２３から延出支持部２２ｂに流入した水は、ガイドリブ２２ｃに当接し、このガイドリブ２２ｃにガイドされながら排出口２２ｂ１に向かって移動する。これにより、結露時に発生した水を予め定められた位置（例えば、水による短絡を招かない位置）に逃がすことができる。ガイドリブ２２ｃのＸ軸方向（単電池１１の積層方向）に対する傾斜角度は、例えば５°に設定することができる。傾斜角度を５°に設定することにより、流入した水をより確実に排出口２２ｂ１に向かって導くことができる。
【００３５】
ここで、図４を参照して、Ｘ軸方向に隣接する延出支持部２２ｂの間には、隙間Ｓ１が形成されており、この隙間Ｓ１は、Ｘ軸方向に隣接するバスバー２１（第１のバスバー及び第２のバスバーに相当する）に挟まれた領域Ｓ２に対応した領域に位置する。すなわち、隙間Ｓ１は、Ｘ軸方向おける位置が領域Ｓ２内に収まるように寸法設定されている。これにより、互いに隣接する一方の延出支持部（第１の延出支持部に相当する）２２ｂから他方の延出支持部（第２の延出支持部に相当する）２２ｂに対して水が流入するのを抑制することができる。これにより、接続部Ａ１及びＡ２が水を介して導通するのをより効果的に防止することができる。
【００３６】
図５を参照して、シート体２３には、組電池２が位置する領域から延出する延長部２３１が形成されており、この延長部２３１は、コネクタ４０を介して監視ユニット（取得部に相当する）５０に接続されている。ここで、監視ユニット５０は、シート体２３を介して各単電池１１の電圧情報を取得し、その結果を図示しない上位ＥＣＵに送信する。ここで、上位ＥＣＵは、取得した電圧情報に基づき、単電池１１のＳＯＣ（State of charge）などを制御する。
【００３７】
延長部２３１には、下方に屈曲した屈曲部２３１aが形成されている。シート体２３からコネクタ４０に向かって移動する水は、屈曲部２３１aに集まり、滴下するため、コネクタ４０に水が流入するのを抑制することができる。このように、シート体２３の一部を曲げるだけで止水構造が得られるため、部品点数の削減による小型化及び低コスト化を図ることができる。
【００３８】
（変形例１）
上述の実施形態では、延出支持部２２ｂのＸ軸方向における一端部に排出口２２ｂ１を形成したが、本発明はこれに限るものではない。図６を参照して、排出口２２ｂ１は、延出支持部２２ｂのＸ軸方向における略中央に形成してもよい。この場合、ガイドリブは、延出支持部２２ｂのＸ軸方向における一端部から排出口２２ｂ１に向かって延びる第１のガイドリブ２２ｄと、延出支持部２２ｂのＸ軸方向における他端部から排出口２２ｂ１に向かって延びる第２のガイドリブ２２ｅとから構成することができる。
【００３９】
（変形例２）
上述の実施形態では、バスバー２１の一部を延出させることにより導電部材（延出導電部）を得たが、本発明は、これに限られるものではなく、バスバー２１と電圧検出線２３ａとを電気的に接続する導電部材を独立して設ける構成であってもよい。
【００４０】
（変形例３）
上述の実施形態では、複数の電圧検出線２３ａを一対のプラスチックフィルムテープ２３ｂにより挟み込むことによりシート体２３としたが、本発明はこれに限られるものではなく、他の構成であってもよい。当該他の構成は、プラスチックフィルムテープ２３ｂを省略した構成であってもよい。この場合、複数の電圧検出線２３ａは、纏められた状態で水逃がし方向に傾斜配置される。この構成によれば、複数の電圧検出線２３ａを水平配置した構成と比べて、水を逃がしやすくすることができる。
【符号の説明】
【００４１】
１  車両用電源装置    ２  組電池    １１  単電池
１２  スペーサ部材  １３  エンドプレート    １４  拘束バンド
２０  バスバーモジュール  ２１  バスバー    ２１ａ  端子挿通孔
２１ｂ  延出導電部  ２２  保護壁    ２２ａ  スリット
２２ｂ  延出支持部  ２２ｃ、２２ｄ、２２ｅ  ガイドリブ
２３  シート体  ２３ａ  電圧検出線
２３ｂ  プラスチックフィルムテープ  ２５  バスバー収容部
２６  ナット    ４０  コネクタ  ５０  監視ユニット
２３１  延長部    ２３１ａ  屈曲部  ２２ｂ１  排出口
【図１】
0005472493.tif 000002
【図２】
0005472493.tif 000003
【図３】
0005472493.tif 000004
【図４】
0005472493.tif 000005
【図５】
0005472493.tif 000006
【図６】
0005472493.tif 000007